(57)【要約】      （修正有）【課題】簡単な操作で複数の処理を実行可能とすることを目的とする。【解決手段】画像出力装置は、表示画面に画像を表示させる表示制御手段と、表示画面に表示された画像に対応した情報を外部装置へ出力する出力手段と、表示制御手段により画像が表示された表示画面に対するユーザ操作の種別を識別する識別手段と、識別手段により識別された表示画面に対するユーザ操作の種別に応じて、表示画面で表示中の画像を外部装置へ出力する出力処理と、表示画面で表示中の画像とは異なる他の画像を表示画面に表示させる表示切替処理とを含む複数の処理の中から実行すべき処理を決定する決定手段と、を有する。【選択図】図３
2020013472.tif 000002
【特許請求の範囲】
【請求項１】
表示画面に画像を表示させる表示制御手段と、
前記表示画面に表示された画像に対応した情報を外部装置へ出力する出力手段と、
前記表示制御手段により画像が表示された表示画面に対するユーザ操作の種別を識別する識別手段と、
前記識別手段により識別された前記表示画面に対するユーザ操作の種別に応じて、前記表示画面で表示中の画像を前記外部装置へ出力する出力処理と、前記表示画面で表示中の画像とは異なる他の画像を前記表示画面に表示させる表示切替処理とを含む複数の処理の中から実行すべき処理を決定する決定手段と、
を有する画像出力装置。
【請求項２】
前記識別手段は、前記表示制御手段により画像が表示された表示画面に対するユーザ操作として、第１の操作と、前記第１の操作と操作の種類が同じであり、かつ前記表示画面に対する操作の方向が異なる第２の操作とを識別し、
前記決定手段は、前記識別手段により前記表示画面に対するユーザ操作が第１の操作であると識別された場合に前記出力処理を実行すべき処理として決定し、前記識別手段により前記表示画面に対するユーザ操作が前記第２の操作であると識別された場合に、前記表示切替処理を実行すべき処理として決定することを特徴とする請求項１に記載の画像出力装置。
【請求項３】
前記第１の操作及び前記第２の操作は、方向の異なるスワイプ、フリック又はドラッグであることを特徴とする請求項２に記載の画像出力装置。
【請求項４】
前記第１の操作は、前記表示画面の上方向の操作であり、
前記第２の操作は、前記表示画面の左右方向の操作であることを特徴とする請求項３に記載の画像出力装置。
【請求項５】
前記識別手段は、前記表示制御手段により画像が表示された表示画面に対するユーザ操作として、前記表示画面へのタッチ操作を含む第１の操作と、前記第１の操作と操作の種類が同じであり、かつ前記表示画面へのタッチ操作により同時に指定される座標の数が異なる第２の操作とを識別し、
前記決定手段は、前記識別手段により前記表示画面に対するユーザ操作が第１の操作であると識別された場合に前記出力処理を実行すべき処理として決定し、前記識別手段により前記表示画面に対するユーザ操作が前記第２の操作であると識別された場合に、前記表示切替処理を実行すべき処理として決定することを特徴とする請求項１に記載の画像出力装置。
【請求項６】
前記第１の操作及び前記第２の操作は、前記表示画面へのタッチ操作により同時に指定される座標の数が異なるスワイプ又はフリックであることを特徴とする請求項５に記載の画像出力装置。
【請求項７】
前記第１の操作は、前記表示画面へのタッチ操作により同時に複数の座標が指定された状態でのスワイプであり、
前記第２の操作は、前記表示画面へのタッチ操作により同時に１つ座標が指定された状態でのスワイプであることを特徴とする請求項６に記載の画像出力装置。
【請求項８】
前記決定手段は、前記外部装置に出力された画像と異なる画像が前記表示画面において選択された状態で、前記第１の操作が行われた場合に、前記表示画面において選択されている画像に対応する情報を出力の対象とした前記出力処理を実行すべき処理として決定することを特徴とする請求項２乃至７の何れか１項に記載の画像出力装置。
【請求項９】
前記決定手段は、前記外部装置に出力された画像が前記表示画面において選択された状態で、前記第１の操作が行われた場合に、前記表示画面において選択されている画像に隣接して表示される画像に対応した情報を出力の対象とした前記出力処理を実行すべき処理として決定することを特徴とする請求項２乃至８の何れか１項に記載の画像出力装置。
【請求項１０】
前記表示画面には、前記画像出力装置に接続されている、複数の外部機器それぞれを示す外部機器情報が表示されており、
前記第１の操作が行われた場合に、前記第１の操作の方向に表示される前記外部機器情報に示される外部機器を、前記情報の出力先の外部機器として決定する出力先決定手段をさらに有することを特徴とする請求項２乃至９の何れか１項に記載の画像出力装置。
【請求項１１】
前記表示画面をさらに有することを特徴とする請求項１乃至１０の何れか１項に記載の画像出力装置。
【請求項１２】
画像出力装置が実行する制御方法であって、
表示画面に画像を表示させる表示制御ステップと、
前記表示制御ステップにより画像が表示された表示画面に対するユーザ操作の種別を識別する識別ステップと、
前記識別ステップにより識別された前記表示画面に対するユーザ操作の種別に応じて、前記表示画面で表示中の画像を前記外部装置へ出力する出力処理と、前記表示画面で表示中の画像とは異なる他の画像を前記表示画面に表示させる表示切替処理とを含む複数の処理の中から実行すべき処理を決定する決定ステップと、
を含むことを特徴とする制御方法。
【請求項１３】
前記決定ステップは、
前記識別ステップにおいて前記表示画面に対するユーザ操作が第１の操作であると識別された場合に前記出力処理を実行すべき処理として決定し、
前記識別ステップにおいて前記表示画面に対するユーザ操作が、前記第１の操作と操作の種類が同じであり、かつ前記表示画面に対する操作の方向が異なる第２の操作であると識別された場合に、前記表示切替処理を実行すべき処理として決定する
ことを特徴とする請求項１２に記載の制御方法。
【請求項１４】
前記決定ステップは、
前記識別ステップにおいて前記表示画面に対するユーザ操作が、前記表示画面へのタッチ操作を含む第１の操作であると識別された場合に前記出力処理を実行すべき処理として決定し、
前記識別ステップにおいて前記表示画面に対するユーザ操作が、前記第１の操作と操作の種類が同じであり、かつ前記表示画面へのタッチ操作により同時に指定される座標の数が異なる第２の操作であると識別された場合に、前記表示切替処理を実行すべき処理として決定する
ことを特徴とする請求項１２に記載の制御方法。
【請求項１５】
コンピュータを、請求項１乃至１１の何れか１項に記載の画像出力装置の各手段として機能させるためのプログラム。
【発明の詳細な説明】
【技術分野】
【０００１】
本発明は、画像出力装置、制御方法及びプログラムに関する。
【背景技術】
【０００２】
従来、スマートフォンの画面を操作して、ＰＣを介さず直接プロジェクタ、画像サーバ、プリンタなどの外部装置に写真や動画を送信し、表示、保存、印刷する使い方が増えてきている。一般的なスマートフォンでは、画像閲覧アプリケーションが閲覧画面を表示し、ユーザによるフリックやスワイプに応じて閲覧画面をスクロールし、ユーザによる送信操作に応じて、選択画像を外部装置に送信する。
【０００３】
特許文献１には、閲覧画面のスクロールや拡大縮小操作で画面更新すると、無線ＬＡＮで接続した外部ディスプレイ装置に更新画面を自動転送する機能を備えた携帯通信端末が開示されている。本携帯通信端末においては、送信操作を省略することで、ユーザ操作を簡単にしている。
【０００４】
また、ＰＣでは、映像端子またはＬＡＮに接続した表示装置に対し、拡張ディスプレイモードを使って、投影画面と主画面で別の画面を表示できる。パワーポイント（Ｒ）のアプリケーションにおける発表者ツールのモードでは、主画面に、投影画面とサムネイルを表示することができる。
【先行技術文献】
【特許文献】
【０００５】
【特許文献１】特開２０１０−１６６４６４号公報
【発明の概要】
【発明が解決しようとする課題】
【０００６】
しかしながら、従来技術においては、主画面に表示させる画像を変更する場合にはスワイプ等を行い、投影画面に画像を出力する場合には、ＵＩボタンの操作や長押し操作等を行うというように異なる操作を行う必要がある。しかしながら、複数の操作を使い分ける必要があり、操作が煩雑になるという課題がある。
【０００７】
本発明はこのような問題点に鑑みなされたもので、簡単な操作で複数の処理を実行可能とすることを目的とする。
【課題を解決するための手段】
【０００８】
そこで、本発明は、画像出力装置であって、表示画面に画像を表示させる表示制御手段と、前記表示画面に表示された画像に対応した情報を外部装置へ出力する出力手段と、前記表示制御手段により画像が表示された表示画面に対するユーザ操作の種別を識別する識別手段と、前記識別手段により識別された前記表示画面に対するユーザ操作の種別に応じて、前記表示画面で表示中の画像を前記外部装置へ出力する出力処理と、前記表示画面で表示中の画像とは異なる他の画像を前記表示画面に表示させる表示切替処理とを含む複数の処理の中から実行すべき処理を決定する決定手段と、を有する。
【発明の効果】
【０００９】
本発明によれば、簡単な操作で複数の処理を実行可能とすることができる。
【図面の簡単な説明】
【００１０】
【図１】画像出力装置のハードウェア構成図である。
【図２】画像出力装置の機能構成図である。
【図３】画像出力処理を示すフローチャートである。
【図４】スワイプに応じた処理の説明図である。
【図５】ピンチに応じた処理の説明図である。
【図６】第２の実施形態に係る処理の説明図である。
【図７】第３の実施形態に係る処理の説明図である。
【図８】第４の実施形態に係る処理の説明図である。
【図９】第５の実施形態に係る処理の説明図である。
【図１０】第６の実施形態に係る処理の説明図である。
【発明を実施するための形態】
【００１１】
（第１の実施形態）
図１は、第１の実施形態に係る画像出力装置１０１のハードウェア構成図である。画像出力装置１０１は、例えば、スマートフォンやタブレットなどの携帯機器であり、機器の外部表示機能や通信機能を使用してプロジェクタなどの外部装置に接続する。ＣＰＵ１０２は、画像出力装置１０１全体を制御するソフトウェアを実行し、各モジュールを制御する。メモリ１０３は、各種データや各種プログラム等を格納する。なお、後述する画像出力装置１０１の機能や処理は、ＣＰＵ１０２がメモリ１０３に格納されているプログラムを読み出し、このプログラムを実行することにより実現されるものである。
【００１２】
ディスプレイ１０４は、表示デバイス（表示画面）である。ディスプレイ１０４には、メモリ１０３に格納された画像等が表示される。通信インターフェース１０５は、無線ＬＡＮや赤外通信などの通信出力又はＤＶＩやＨＤＭＩ（登録商標）等の表示出力である。通信インターフェース１０５は、画像出力装置１０１とプロジェクタなどの外部機器を接続し、送信指示を受けてメモリ１０３の画像を送信（出力）する。
【００１３】
タッチパネル１０６は、入力デバイスである。なお、タッチパネル１０６は一般的にディスプレイ１０４を含むが、タッチパッドのように、ディスプレイ１０４を含まない構成でもよい。タッチパネル１０６は、ユーザの操作を受け付け、操作情報をＣＰＵ１０２に渡す。操作情報は、ユーザ操作の開始・終了時刻（例えば秒単位）、開始・終了位置座標（例えばピクセル単位）である。ユーザはタッチパネル１０６に触れた状態で指を滑らせて、ディスプレイ１０４が表示する閲覧画面を操作する。一般的に、タッチパネル１０６に指が触れた状態で滑らせる操作をスワイプと称する。タッチパネル１０６に触れる指の数が複数の場合は、マルチタッチと称する。また、マルチタッチした状態、例えば２本の指を画面に触れた状態で、つまむように指の間隔を狭めるように動かす操作または広げるように動かす操作をピンチと称する。なお、本実施形態においては、指で操作を行う場合を例に説明するが、タッチパネル１０６上でユーザが操作を行う手段（以下、操作子という）は、指に限定されるものではなく、タッチペン等のタッチ入力デバイスであってもよい。また、操作子は、指とタッチ入力デバイスを両方とも用いてもよい。
【００１４】
画像出力装置１０１は、複数の画像を一覧表示した閲覧画面を表示する。そして、ユーザにより所望の画像が選択されると、選択された画像を外部機器に送信（出力）する。出力先の外部装置がプロジェクタの場合には、プロジェクタにより画像の投影が行われる。出力先の外部機器が画像サーバの場合には、画像の保存が行われる。出力先の外部機器がプリンタの場合には、画像の印刷が行われる。
【００１５】
図２は、画像出力装置１０１の機能構成図である。機器選択部２０１は、外部機器と通信が確立すると、選択された機器に関する選択機器情報を処理決定部２０３に渡す。なお、外部機器の選択と接続には、機器間通信で一般的に普及しているワイヤレス通信によるペアリング技術などを使用する。選択機器情報は、機器間通信に必要な機器のＩＰアドレスなどである。操作検出部２０２は、一定時間毎に操作を検出する。本実施形態においては、スワイプを検出するものとする。操作検出部２０２は、スワイプを検出すると、スワイプの方向、移動量（例えばピクセル）、移動速度（例えばピクセル／秒）を算出する。なお、操作検出部２０２は、開始・終了位置座標の差分から移動方向及び移動量を求め、移動量をスワイプ開始から終了までの時間で除算することで、移動速度を求める。処理決定部２０３は、操作検出部２０２により検出された操作に基づいて、実行すべき処理を決定する。表示処理部２０４は、ディスプレイ１０４への表示を制御する。通信制御部２０５は、外部機器に画像を送信するための通信制御を行う。
【００１６】
図３は、画像出力装置１０１による画像出力処理を示すフローチャートである。Ｓ３０１において、表示処理部２０４は、外部機器の一覧を示す外部機器一覧画面をディスプレイ１０４に表示する。本処理は、表示制御処理の一例である。そして、機器選択部２０１は、ユーザ操作に応じて、外部機器の選択指示を受け付けると、選択指示に従い、通信インターフェース１０５を介して画像の出力先となる外部機器に接続し、その後選択機器情報を処理決定部２０３に渡す。以下、本実施形態においては、外部機器としてプロジェクタに接続された場合を例に説明する。次に、Ｓ３０２において、表示処理部２０４は、ディスプレイ１０４に閲覧画面を表示する。ここで、閲覧画面は、プロジェクタに出力可能な複数の画像を一覧表示する画面である。
【００１７】
次に、Ｓ３０３において、処理決定部２０３は、操作検出部２０２が検出した操作を判定する。検出対象の操作は、第１の操作、第２の操作及びその他の操作に識別される。ここで、第１の操作と第２の操作は、操作の種別が等しく、その方向が異なる操作である。本実施形態においては、第１の操作は、ディスプレイ１０４の上方向に向けたスワイプであり、第２の操作は、ディスプレイ１０４の左右方向に向けたスワイプである。つまり、第１の操作と第２の操作は、操作の種別であるスワイプとしては同じであるが、そのスワイプする方向が互いに異なっている。言い換えると、第１の操作のスワイプの方向を第１の方向とすると、第２の操作のスワイプの方向は、第１の方向とは平行ではない方向である。その他の操作は、第１の操作及び第２の操作以外の操作である。具体的には、その他の操作としては、画面へのタッチやピンチ等が挙げられる。
【００１８】
処理決定部２０３は、第１の操作が検出された場合には（Ｓ３０３で第１の操作）、処理をＳ３０４へ進める。処理決定部２０３は、第２の操作が検出された場合には（Ｓ３０３で第２の操作）、処理をＳ３０５へ進める。処理決定部２０３は、その他の操作が検出された場合には（Ｓ３０３でその他の操作）、処理をＳ３０６へ進める。
【００１９】
Ｓ３０４において、処理決定部２０３は、表示中の画像を外部機器へ出力する出力処理を実行すべき処理として決定する。そして、通信制御部２０５は、出力処理として、処理時点において選択されている画像に対応付けられた情報を外部機器としてのプロジェクタに出力する処理を実行する。出力対象の情報は、選択されている画像そのものであってもよく、選択されている画像に紐付けられたキャラクタデータや音声データ、プログラム等であってもよい。
【００２０】
Ｓ３０５において、処理決定部２０３は、スクロールすることでディスプレイ１０４に表示されている画像を切り替える表示切替処理を実行すべき処理として決定する。そして、表示処理部２０４は、表示切替処理として、表示対象の画像を変更する。なお、このとき、表示処理部２０４は、スワイプの移動方向、移動量、移動速度に応じてスクロールするような画面表示を行う。なお、Ｓ３０４及びＳ３０５の処理は、処理決定処理の一例である。Ｓ３０６において、処理決定部２０３は、検出された操作に割り当てられている処理を実行すべき処理として決定し、ＣＰＵ１０２は、決定した処理を実行するよう制御する。
【００２１】
図４は、スワイプに応じた処理の説明図である。図４（ａ）に示すように閲覧画面４００において、画像０〜画像２が横方向に並べて表示されているものとする。さらに、図４（ａ）の例では、画像１が選択されており、画像１が既にプロジェクタ４１０に出力されており、プロジェクタ４１０により投影されているものとする。以下、選択されている画像を選択画像、プロジェクタ４１０により投影されている画像を表示画像と称する。本実施形態においては、表示画像であることを示すため、画像１は枠付き表示されている。これにより、ユーザは、いずれの画像が出力されたのかをディスプレイ１０４において、容易に把握することができる。また、本実施形態においては、画面の中央に表示されている画像が自動的に選択画像として設定されるものとする。なお、他の例としては、画像へのタッチ等のユーザ操作により選択された画像が選択画像として設定されるものとしてもよい。
【００２２】
また、閲覧画面４００の上部には、処理時点において選択中の外部機器を示す情報４０１が表示されている。この情報４０１は、ユーザ設定に応じて表示の有無を選択可能としてもよい。
【００２３】
図４（ａ）に示す状態において、ユーザが左右の方向にスワイプすると、画像０〜画像２の位置が左右に移動し、画像０〜画像２が画面から消え、画像０〜画像２以外の画像が新たに表示される。図４（ａ）の状態において、ユーザが左方向のスワイプ４２０（図４（ｂ）参照）を行ったとする。左方向のスワイプ４２０は、第２の操作であるため、表示処理部２０４は、表示切替処理を実行する。これにより、図４（ｂ）に示すように一覧画像は左にスクロール４２１する。これにより、画像０は画面外に移動し、画像１、画像２は左に移動し、新たに画像３が画面内に現れる。画像２が中央に配置されることに応じて、選択画像は、画像１から画像２に切り替わる。しかし、左方向のスワイプ４２０では出力処理は実行されないため、表示画像は画像１のままである。従って、画像１は引き続き枠付き表示される。
【００２４】
図４（ｂ）の状態で、ユーザが上方向のスワイプ４３０を行ったとする。上方向のスワイプ４３０は第１の操作であるため、通信制御部２０５は、出力処理を実行する。これにより、図４（ｃ）に示すように、選択画像である画像２がプロジェクタ４１０に出力される。この場合、通信制御部２０５が画像２をプロジェクタ４１０に送信するとともに、表示処理部２０４は、枠表示を画像１から画像２に変更する。また、プロジェクタ４１０は、投影対象を画像１から画像２に変更する。なお、上方向のスワイプ４３０では表示切替処理は実行されないため、閲覧画面において画像の移動はない。すなわち、画像２が中央に配置された状態が維持され、選択画像は引き続き画像２である。
【００２５】
図５は、ピンチに応じた処理の説明図である。ピンチは、スワイプ操作以外の操作であり、上述のその他の操作の一例である。ピンチには、操作子の間の距離を広げるピンチアウトと、操作子の間の距離を小さくするピンチインとがある。ピンチアウトは拡大処理に対応し、ピンチインは縮小処理に対応する。
【００２６】
図５（ａ）の例は、図４（ａ）の例と同様であり、閲覧画面５００には、画像０〜画像２が横方向に並べて表示されており、画像１が表示画像及び選択画像であるものとする。図５（ａ）の状態で、ピンチアウト５２０が行われると、図５（ｂ）に示すように、選択画像である画像１が拡大表示される。この場合、プロジェクタ５１０への画像の出力は行われない。すなわち、表示画像は引き続き画像１であり、ピンチアウト後も画像１は枠付き表示される。なお、ピンチアウト５２０を示す矢印に特に意味はなく、図５（ｂ）の矢印と異なる方向にピンチアウトしても同様の表示が行われる。また、ピンチアウトの際の操作子間の間隔により画像の拡大率が決められてもよいし、ピンチアウトの際の操作子間の間隔によらず所定の拡大率で画像の表示を行ってもよい。
【００２７】
さらに、図５（ｂ）の状態で、左方向のスワイプ５３０が行われると、図５（ｃ）に示すように一覧画像が左にスクロール５３１する。このとき、選択画像が画像１から画像２に切り替わる。ただし、プロジェクタ５１０への画像出力は行われないため、表示画像は画像１のままで変更されない。
【００２８】
図５（ｃ）の状態で、ピンチアウト５４０が行われると、図５（ｄ）に示すように、選択画像である画像２が拡大表示される。なお、この場合、プロジェクタ５１０への画像の出力はなく、表示画像は引き続き画像１である。また、ピンチアウト５４０の後も、表示画像は画像１であるため、画像１は引き続き枠付き表示される。図５（ｄ）の例では、拡大した画像２はディスプレイ１０４に収まっているがさらに拡大されると、ディスプレイ１０４には拡大した画像の一部のみが表示される。なお、図５においては、ピンチアウトによる画像の拡大を例に説明したが、ピンチインによる縮小の場合も同様である。また、ピンチインの際の操作子間の間隔により画像の縮小率が決められてもよいし、ピンチインの際の操作子間の間隔によらず所定の縮小率で画像の表示を行ってもよい。
【００２９】
以上のように、本実施形態に係る画像出力装置１０１は、スワイプの操作方向に応じて、実行すべき処理を決定することができる。すなわち、画像出力装置１０１は、簡単な操作で複数の処理を実行可能とすることができる。
【００３０】
なお、本実施形態の変形例としては、出力処理と表示切替処理に対応した第１の操作と第２の操作は、操作の種類が等しく、その方向が異なる操作であればよく、実施形態に限定されるものではない。他の例としては、左右方向のスワイプが出力処理に対応し、上下方向のスワイプが表示切替処理に対応してもよい。また、他の例としては、直線上を移動するスワイプが表示切替処理に対応し、円を描くように移動するスワイプが出力処理に対応してもよい。
【００３１】
また、他の例としては、第１の操作と第２の操作は、方向の異なるフリックでもよく、方向の異なるドラッグであってもよい。ここで、フリックとは、タッチパネルに指が触れている時間がスワイプに比べて短い操作である。また、ドラッグとは、マウスを押したままマウスを動かす操作である。
【００３２】
（第２の実施形態）
次に、第２の実施形態に係る画像出力装置１０１について、第１の実施形態に係る画像出力装置１０１と異なる点を主に説明する。第２の実施形態に係る画像出力装置１０１においては、上方向へのマルチタッチのスワイプが第１の操作として設定され、シングルタッチのスワイプが第２の操作として設定されているものとする。すなわち、画像出力装置１０１は、上方向へのマルチタッチのスワイプを検出した場合には、出力処理を実行すべき処理として決定し、シングルタッチのスワイプを検出した場合には、スワイプの方向への表示切替処理を実行すべき処理として決定する。なお、シングルタッチとは、操作子が１つの場合のタッチのことである。つまり、第１の操作は、ディスプレイへのタッチ操作を含み、そのタッチ操作により１つの座標が指定された状態でのスワイプである。一方、第２の操作は、第１の操作とは、操作の種別としてタッチ操作してスワイプする点で同じであるが、タッチ操作により同時に複数の座標が指定された状態でのスワイプである点で異なっている。
【００３３】
図６は、第２の実施形態に係る処理の説明図である。図６（ａ）に示すように、閲覧画面６００において、画像０〜画像５が縦横方向に並べて表示されているものとする。さらに、図６（ａ）の例では、画像１が選択されており、画像１が既にプロジェクタ６１０に出力されているものとする。
【００３４】
図６（ａ）の状態で、ユーザが、シングルタッチで上方向のスワイプ６２０を行ったとする。本操作は、第２の操作であるため、表示処理部２０４は、表示切替処理を実行する。これにより、図６（ｂ）に示すように、一覧画像は上にスクロール６２１する。これにより、画像０〜画像５は、上に移動し、画像５に続く画像６〜画像８が画面内に現れる。このとき、中央の画像は画像１から画像４に替わるため、選択画像は画像１から画像２に切り替わる。このとき、出力処理は行われず、表示画像は画像１のままであり、画像１は引き続き枠付き表示される。なお、シングルタッチで左方向のスワイプを行った場合にも表示切替処理が実行される。具体的には、画像０〜画像５が左に移動し、画像０、画像３が消え、別の画像が現れる。
【００３５】
さらに、図６（ｂ）の状態で、ユーザが、マルチタッチで上方向のスワイプ６３０を行ったとする。本操作は、第１の操作であるため、通信制御部２０５は、出力処理を実行する。これにより、図６（ｃ）に示すように、選択画像である画像４がプロジェクタ６１０に出力され、プロジェクタ６１０により投影される。さらに、表示画像の変更に伴い、処理決定部２０３は、枠表示を画像１から画像４に変更する。なお、第２の実施形態に係る画像出力装置１０１の構成及び処理は、第１の実施形態に係る画像出力装置１０１の構成及び処理と同様である。以上のように、第２の実施形態に係る画像出力装置１０１は、スワイプに用いる操作子の数に応じて、実行すべき処理を決定することができる。
【００３６】
なお、変形例としては、上方向へのシングルタッチのスワイプが第１の操作として設定され、マルチタッチのスワイプが第２の操作として設定されてもよい。この場合、第１の操作の方向は、上方向に限定されず、左右方向や下方向でもよい。
【００３７】
（第３の実施形態）
次に、第３の実施形態に係る画像出力装置１０１について、他の実施形態に係る画像出力装置１０１と異なる点を主に説明する。なお、第３の実施形態に係る画像出力装置１０１においては、上方向のスワイプが第１の操作、左右方向のスワイプが第２の操作として設定されているものとする。
【００３８】
図７は、第３の実施形態に係る処理の説明図である。図７（ａ）に示すように、閲覧画面７００には、画像０〜画像３が横方向に並べて表示されているものとする。さらに、図７（ａ）の例では、画像１が表示画像であり、画像２が選択画像であるものとする。図７（ａ）の状態で、ユーザが上方向のスワイプ７２０を行ったとする。この場合、上方向のスワイプ７２０は、第１の操作であるため、図７（ｂ）に示すように、選択画像である画像２がプロジェクタ７１０に出力される。これに応じて、表示画像が画像２に変更され、画像２は、枠付き表示となる。なお、選択画像は画像２のままである。
【００３９】
続いて、図７（ｂ）の状態で、ユーザが再度上方向のスワイプ７３０を行ったとする。このように、選択画像が既に出力されている場合には、図７（ｃ）に示すように、画像出力装置１０１は、左方向へスクロール７３１し、選択画像を画像２から画像３へ変更する。そして、画像出力装置１０１は、画像３をプロジェクタ７１０へ送信する。これに応じて、画像３は表示画像となり、枠付き表示される。プロジェクタ７１０は、新たに受信した画像３を投影する。なお、第３の実施形態に係る画像出力装置１０１のこれ以外の構成及び処理は、他の実施形態に係る画像出力装置１０１の構成及び処理と同様である。
【００４０】
このように、第３の実施形態に係る画像出力装置１０１は、第１の操作が検出された場合において、出力されていない画像が選択画像の場合には選択画像を出力する一方で、出力済みの画像が選択画像の場合には、選択画像に隣接する次の画像を出力する。これにより、上方向のスワイプを行うだけで、ページのスクロールと外部への出力の更新を一度に行うことができる。
【００４１】
（第４の実施形態）
次に、第４の実施形態に係る画像出力装置１０１について、他の実施形態に係る画像出力装置１０１と異なる点を主に説明する。第４の実施形態に係る画像出力装置１０１は、ＰＣであり、ユーザは、マウスを用いて操作を行うものとする。本実施形態に係る画像出力装置１０１においては、上方向のドラッグが第１の操作として設定され、左右方向のドラッグが第２の操作として設定されているものとする。
【００４２】
図８は、第４の実施形態に係る処理の説明図である。図８（ａ）は、初期画面８００を示す図である。初期画面８００には、画像０〜画像２が横方向に並べて表示されている。ユーザは、マウス８０１を用いて、画面上のカーソル８０２を操作する。ユーザがカーソル８０２を左右にドラッグしたとする。本操作は第２の操作であるため、表示処理部２０４は、表示切替処理を実行する。これにより、画像０〜画像２は左右にスクロールされる。また、ユーザが画像をクリックすると、クリックされた画像が選択画像として設定される。図８（ａ）に示す初期画面８００においては、画像１が表示画像及び選択画像として設定されている。この状態で、画像２がクリックされると、図８（ｂ）に示すように、選択画像は画像１から画像２に変更される。なお、表示画像が画像１のままである。
【００４３】
図８（ｂ）の状態で、ユーザが上方向のドラッグ８２０を行ったとする。この場合、通信制御部２０５は、出力処理を実行する。これにより、図８（ｃ）に示すように、選択画像である画像２がプロジェクタ８１０に出力される。画像２は表示画像になり、枠付き表示となる。第４の実施形態に係る画像出力装置１０１のこれ以外の構成及び処理は、他の実施形態に係る画像出力装置１０１の構成及び処理と同様である。
【００４４】
（第５の実施形態）
次に、第５の実施形態に係る画像出力装置１０１について、他の実施形態に係る画像出力装置１０１と異なる点を主に説明する。第５の実施形態に係る画像出力装置１０１は、ＰＣであり、ユーザは、マウスを用いて操作を行うものとする。本実施形態に係る画像出力装置１０１は、スライドショー用のアプリケーションが搭載され、発表者ツール等のスライド閲覧画面を表示する。また、本実施形態に係る画像出力装置１０１においては、クリックが特定操作として設定されており、画像出力装置１０１は、特定操作が検出されると選択画像の出力処理を実行する。
【００４５】
図９は、第５の実施形態に係る処理の説明図である。図９（ａ）は、スライド閲覧の初期画面９００を示す図である。初期画面９００には下側の領域に画像０〜画像４が横方向に並べて表示されている。また、初期画面９００の左上の領域は、選択画像を表示する選択画像領域である。画像２が選択画像として設定されている場合には、図９（ａ）に示すように、選択画像領域には、画像２が通常サイズで表示される。さらに、本実施形態においては、選択画像は緑の枠付きで表示されるものとする（ただし、図９（ａ）では、選択画像は破線の枠付きで表す）。また、表示画像は赤の枠付きで表示されるものとする（ただし、図９（ａ）では、選択画像は太線の枠付きで表す）。なお、枠の色については、緑と赤に限られず、任意に設定されてもよい。右上の領域はノート表示領域である。ノート表示領域には、発表内容のメモ書きが表示される。
【００４６】
図９（ａ）の状態で、ユーザが画像３をドラッグしたとする。画像出力装置１０１は、図９（ｂ）に示すように、ドラッグに応じて、選択画像を画像２から画像３に変更する。画像出力装置１０１はさらに、選択画像表示領域に画像３を表示し、画像３を緑の枠付き（図９（ｂ）では破線の枠付き）で表示する。さらに、図９（ｂ）の状態でユーザが選択画像である画像３をクリックしたとする。クリックは特定操作であるため、画像出力装置１０１は、図９（ｃ）に示すように、画像３の出力処理を行う。これにより、画像３は、表示画像及び選択画像として設定される。なお、選択画像のクリックは、選択画像表示領域の画像のクリックでもよく、下側に一覧表示されている画像のクリックでもよい。また、図９（ｃ）の状態で、ユーザが画面下側に表示された画像４をクリックしたとする。この場合、画像出力装置１０１は、図９（ｄ）に示すように、画像４の出力処理を行う。これにより、画像４は、表示画像及び選択画像として設定される。
【００４７】
なお、変形例としては、入力に用いる機器はマウスに限定されるものではない。他の例としては、タッチパッド、トラックボール又はホイールなどが挙げられる。
【００４８】
（第６の実施形態）
次に、第６の実施形態に係る画像出力装置１０１について、他の実施形態に係る画像出力装置１０１と異なる点を主に説明する。第３の実施形態に係る画像出力装置１０１は、複数の外部機器と接続し、ユーザ操作に応じて、画像の出力先の外部機器を選択する。
【００４９】
図１０は、第６の実施形態に係る画像出力装置１０１が表示する閲覧画面の一例を示す図である。図１０（ａ）において、閲覧画面１０００には、画像０〜画像２が横方向に並べて表示されている。第１の実施形態において図４を参照しつつ説明したのと同様に、本実施形態においても、左右方向のスワイプにより画像が左右にスクロールされる。また、図１０（ａ）に示す例では、画像１が表示画像及び選択画像として設定されている。さらに、閲覧画面１０００の上部には、画像出力装置１０１が接続中の外部機器を示すアイコン１００１、１００２、１００３が表示されている。アイコン１００１は画像サーバ１０１１、アイコン１００２はプロジェクタ１０１２、アイコン１００３はプリンタ１０１３を示している。ここで、各アイコン１００１、１００２、１００３は、外部機器情報の一例である。
【００５０】
本実施形態の画像出力装置１０１においては、選択画像から外部機器のアイコンの方向へのスワイプが第１の操作として設定されており、左右方向へのスワイプが第２の操作として設定されているものとする。なお、外部機器のアイコンの方向は、略上方向であるものとする。
【００５１】
図１０（ａ）の状態でユーザが左方向のスワイプ１０２０を行ったとする。この場合、図１０（ｂ）に示すように、画像が左にスクロール１０２１し、選択画像は画像１から画像２に切り替わる。図１０（ｂ）の状態で、ユーザがプリンタのアイコン１００３の方向にスワイプ１０３０を行ったとする。本操作は第１の操作であるため、画像出力装置１０１は、出力処理を行う。さらに、画像出力装置１０１は、第１の操作がアイコン１００３に向かう操作であることから、アイコン１００３に対応するプリンタを出力先の外部機器として決定する。本処理は、出力先決定処理の一例である。スワイプ１０３０に応じて、図１０（ｃ）に示すように、選択画像である画像２がプリンタ１０１３に出力される。そして、プリンタ１０１３は、画像２の印刷を行う。なお、プロジェクタ１０１２は、画像２の表示を継続する。このように、第６の実施形態に係る画像出力装置１０１は、スワイプの方向に応じて、出力先の機器を決定することができる。
【００５２】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５３】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５４】
１０１  画像出力装置
１０４  ディスプレイ
１０５  通信インターフェース
２０２  操作検出部
２０３  処理決定部
【図１】
2020013472.tif 000003
【図２】
2020013472.tif 000004
【図３】
2020013472.tif 000005
【図４】
2020013472.tif 000006
【図５】
2020013472.tif 000007
【図６】
2020013472.tif 000008
【図７】
2020013472.tif 000009
【図８】
2020013472.tif 000010
【図９】
2020013472.tif 000011
【図１０】
2020013472.tif 000012